(57)【特許請求の範囲】
【請求項１】
液透過性の表面シート、液不透過性の裏面シート及び液保持性の吸収体を備え、実質的に縦長に形成された使い捨ておむつにおいて、
股下部における前記吸収体の幅の長さの３／７を占める中央吸収部の単位吸収容量よりも、該吸収体の幅の長さの各々１／７を占める両サイド吸収部の単位吸収容量が大きくなされており、該各サイド吸収部の外側縁部が、該吸収体の長手方向の側縁部を構成しており、該各サイド吸収部の外側縁部は、厚み方向の一方の面側から他方の面側に亘って疎水性のシート材に被覆されており、且つ該各サイド吸収部が位置する領域に、該サイド吸収部の長手方向に沿って弾性部材が配設されており、
前記弾性部材は、使い捨ておむつの厚み方向における前記吸収体よりも裏面側に配設されていることを特徴とする使い捨ておむつ。
【請求項２】
前記各サイド吸収部は、吸水性ポリマーを含有しており、各サイド吸収部の前記疎水性のシート材に両面を被覆された部分の吸水性ポリマーの平均坪量が、該各サイド吸収部全体の吸水性ポリマーの平均坪量よりも小さい請求項１記載の使い捨ておむつ。
【請求項３】
前記中央吸収部の厚みが前記各サイド吸収部の厚みの２／３以下である請求項１又は２記載の使い捨ておむつ。
【請求項４】
前記中央吸収部と前記各サイド吸収部との間の領域に、長手方向に沿って低剛性領域が形成されている請求項１〜３の何れか記載の使い捨ておむつ。
【請求項５】
前記各サイド吸収部には、剛性が相互に異なる領域が、該サイド吸収部の長手方向に交互に形成されている請求項１〜４の何れか記載の使い捨ておむつ。
【請求項６】
前記使い捨ておむつは、内表面上に補助吸収具が配され該補助吸収具と共に着用されるものであり、前記股下部における吸収体の両側縁近傍に、おむつ内表面側から視覚的に判別可能な目安材が配設されている請求項１〜５の何れか記載の使い捨ておむつ。
【発明の詳細な説明】
【０００１】
【発明の属する技術分野】
本発明は、製造コストを抑制でき、漏れ防止性及びフィット性が大幅に向上した使い捨ておむつに関する。
【０００２】
【従来の技術及び発明が解決しようとする課題】
近年、使い捨ておむつ、特に大人用の使い捨ておむつにおいては、おむつの交換に伴う経済的・労力的な負担を軽減するため、尿吸収パッド等の補助吸収具を併用することが多くなっている。
しかし、従来の使い捨ておむつは、補助吸収具との併用を充分に考慮した構成とはなっていない。また、特に寝たきりの方は、褥瘡（床ずれ）予防の観点から横向きに寝ることが多く、横脇・股からの漏れの頻度が高いという実態がある。
【０００３】
特公平５−３３６３０号公報には、吸収体を、人体に適合する幅の中央吸収部と、その外側に設けられた外側吸収部とから形成することにより、股間部の密着性を高め、それにより漏れ防止性能を向上させた使い捨ておむつが記載されている。しかし、この使い捨ておむつにおいては、短時間に尿が多量に排泄された場合などには、中央吸収部から漏れ出した尿が比較的容易に外側吸収部を越えて、脚廻りから漏れを生じる恐れがある。
尚、特許第３０２０９８９号の特許公報には、ヒドロゲル化性吸収性物質が高濃度で分配された領域を長手方向の各エッジに沿って有する親水性繊維性吸収性エレメントについて記載されているが、該公報に記載の技術は、ゲルブロッキングにより障壁を形成し、横方向への液の拡散を阻止するものであり、漏れを防止する機構が本願発明とは根本的に異なる。
【０００４】
従って、本発明の目的は、製造コストを抑制でき、しかも漏れ防止性及びフィット性に優れた使い捨ておむつを提供することにある。
【０００５】
【課題を解決するための手段】
本発明は、液透過性の表面シート、液不透過性の裏面シート及び液保持性の吸収体を備え、実質的に縦長に形成された使い捨ておむつにおいて、股下部における前記吸収体の幅の長さの３／７を占める中央吸収部の単位吸収容量よりも、該吸収体の幅の長さの各々１／７を占める両サイド吸収部の単位吸収容量が大きくなされており、該各サイド吸収部の外側縁部が、該吸収体の長手方向の側縁部を構成しており、該各サイド吸収部の外側縁部は、厚み方向の一方の面側から他方の面側に亘って疎水性のシート材に被覆されており、且つ該各サイド吸収部が位置する領域に、該サイド吸収部の長手方向に沿って弾性部材が配設されており、前記弾性部材は、使い捨ておむつの厚み方向における前記吸収体よりも裏面側に配設されていることを特徴とする使い捨ておむつを提供することにより、上記の目的を達成したものである。
【０００６】
【発明の実施の形態】
以下、本発明をその好ましい実施形態に基づいて詳細に説明する。
本実施形態の使い捨ておむつ１は、いわゆる展開型のおむつであり、図１〜図３に示すように、液透過性の表面シート２、液不透過性の裏面シート３及びこれら両シート２、３間に介在された液保持性の吸収体４を備え、実質的に縦長に形成されており、着用時に着用者の背側に配される背側部Ａの両側縁部に、止着手段としてファスニングテープ５が設けられ、着用時に着用者の腹側に配される腹側部Ｂの外表面に、これらのファスニングテープ５を止着するためのランディングゾーン５１が設けられている。
【０００７】
更に説明すると、本実施形態の使い捨ておむつ１は、その外形が、長手方向の中央部が幅狭に括れた砂時計状の形状を有している。吸収体４は、長方形状をなしており、その内表面側には、長方形状の表面シート２が配されており、その外表面側には、おむつ外形と同形状の裏面シート３が配されている。表面シート２の両側縁は、吸収体４の両側縁に沿ってその若干外方に位置しており、疎水性のシート材６が、表面シート２及び裏面シート３に跨るように配され、両シート２，３上に接合されている。尚、図１においては、表面シート２とシート材６の境界線の図示を省略してある。
【０００８】
而して、本発明の使い捨ておむつは、股下部Ｃにおける吸収体４の幅の長さＷ（図１，２参照）の３／７を占める中央吸収部４２の単位吸収容量よりも、該吸収体の幅の長さの各々１／７を占める両サイド吸収部４３，４３の単位吸収容量が大きくなされている。
ここで、股下部Ｃとは、図１，２に示すように、使い捨ておむつを緊張させた状態（各部の弾性部材を伸長させた状態，以下、おむつ緊張状態という）下において、使い捨ておむつ１の長手方向の長さＬを４等分して４つの領域に区分した場合における中央の２領域である。
【０００９】
また、吸収体４の幅の長さＷは、おむつ緊張状態下における幅の長さＷであり、該幅の長さＷが、股下部Ｃの長手方向において均一でない場合（例えば、図４に示すように、吸収体の両側縁が円弧状に湾曲し、股下中央部（股下部の中央部）における該幅の長さが、背側部Ｂ寄り及び腹側部Ａ寄りの部位における該幅の長さよりも狭くなっている場合）には、吸収体の両側縁が最も近づいた２点間の距離をＷとする。吸収体の一部又は全体が分割されている場合には、幅方向の最も外側に位置する吸収体の外側縁を、吸収体の側縁とする。
【００１０】
中央吸収部４２は、一回の排尿であっても確実に濡れる部分であるため、該中央吸収部４２上には、補助吸収具１０を配置するのが一般的である。これに対して、サイド吸収部４３は、中央吸収部４２から外方に拡散した液を吸収する部分である。
そのため、サイド吸収部４３，４３の単位吸収容量を、中央吸収部４２の単位吸収容量よりも大きくすることにより、吸収体４の吸収能力を無駄なく効率的に利用でき、吸収体４の総吸収容量が従来の使い捨ておむつと同等又は低減させた場合においても、漏れ防止性能の向上を図ることが可能となる。
更に、相対的に中央吸収部４２の単位吸収容量を小さくすることで、該中央吸収部に、液吸収の役割の代わりに又は液吸収の役割に加えて、液を拡散（特に長手方向への拡散）させる役割を担わせることができる。
このため、液の拡散による液流の減速により、サイド吸収部に時間的な余裕をもって液を吸収させることができ、また、前後方向への拡散によりサイド吸収部の広い範囲を有効に活用することができる。これにより、製造コストの抑制しつつ、一層の漏れ防止性能の向上を達成することができる。
【００１１】
製造コストの抑制及び漏れ防止性能の向上の観点から、中央吸収部４２の単位吸収容量と各サイド吸収部４３の単位吸収容量との比（中央／サイド）は０〜０．９、特に０〜０．５であることが好ましく、両者の差は０．１〜０．８、特に０．１〜０．４であることが好ましい。
また、サイド吸収部４３の単位吸収容量は０．１〜０．８ｇ／ｃｍ2 、特に０．１〜０．４ｇ／ｃｍ2 であることが好ましい。また、液拡散による液流の減速の観点から、中央吸収部４２の単位吸収容量は０〜０．７ｇ／ｃｍ2 、特に０〜０．２ｇ／ｃｍ2 であることが好ましい。
【００１２】
また、中央吸収部４２と各サイド吸収部４３との間の領域（以下、中間領域という）４４の単位吸収容量は、中央吸収部４２と同等であるか又はそれ未満であることが、サイド吸収部に効率良く吸収させる観点から好ましい。特に、中央吸収部４２の単位吸収容量未満である場合には、補助吸収具から漏れ出した液は直接サイド吸収部４３で吸収されるか又は中間領域４４を長手方向に拡散しながら液未吸収部分、特にサイド吸収部における液未吸収部分に吸収されるので、特にサイド吸収部の吸収能力を最大限に発揮させることができ、特に効率の良い吸収が可能となる。
【００１３】
中央吸収部４２、サイド吸収部４３及び中間領域４４それぞれの単位吸収容量は、次のようにして測定される。
先ず、おむつ緊張状態下において、おむつ股下部Ｃの中央吸収部４２、各サイド吸収部４３及び各中間領域４４の面積をそれぞれ測定する。
次いで、おむつの股下部Ｃを切り出し、該股下部Ｃの吸収体４を、中央吸収部４２と両サイド吸収部４３と両中間領域４４とに切断して分割する。この分割の際には、表裏面シート２，３は、予め取り除いておく。
そして、分割した各部分を、それぞれ別個のメッシュ袋に入れて口を閉じ、そのそれぞれを０．９重量％の生理食塩水中に浸漬し、３０分間放置する。その後、それぞれを袋に入れたまま３０分間吊して自然脱水し、更に１０分間遠心脱水機（回転半径２００ｍｍ，８００ｒｐｍ）にかけて脱水する。
そして、各部分の単位液吸収容量を次式より算出する。
単位液吸収容量（ｇ／ｃｍ2 ）＝〔（脱水後重量（ｇ）−（液浸漬前重量（ｇ）〕／各部分の面積（ｃｍ2 ）
【００１４】
サイド吸収部４３の単位吸収容量を、中央吸収部４２及び／又は中間領域４４の単位吸収容量より大きくするには、吸収体の構成材料（例えばパルプ繊維等の繊維材料及び／又は吸水性ポリマー）の坪量を調節すれば良いが、効果発現の容易性、コストパフォーマンスの観点から、サイド吸収部４３における吸水性ポリマーの坪量を他の部分よりも大きくすることが好ましい。但し、吸収性能の低下の原因となり得るゲルブロッキングを生じさせない範囲のポリマー坪量に留めることが好ましく、サイド吸収部４３の吸水性ポリマーの平均坪量は２０〜１５０ｇ／ｍ2 、特に５０〜１００ｇ／ｍ2 であることが好ましい。各サイド吸収部４３の吸水性ポリマーの平均坪量は、サイド吸収部４３内の吸水性ポリマーの重量を該サイド吸収部４３の面積で除して求められる。
【００１５】
本発明の使い捨ておむつ１においては、各サイド吸収部４３，４３の外側縁部が、厚み方向の一方の面側（おむつ内表面側）から他方の面側（おむつ外表面側）に亘って疎水性のシート材３，６に被覆されており、且つ該各サイド吸収部４３が位置する領域（厚み方向の内部にサイド吸収部が存在する領域）に、該サイド吸収部４３の長手方向に沿って弾性部材７１が配設されている。
【００１６】
本実施形態では、サイド吸収部４３が位置する領域で且つ吸収体よりも裏面側（図２では裏面シート３と吸収体４の外表面を形成するシートとの間）に弾性部材７１を配設することにより、該領域の内表面側を、着用者の股下大腿部に確実に圧接させることができ、尿等の排泄物とサイド吸収部４３との接触確率を高めることができる。更に、サイド吸収部で吸収できずに吸収体中を流れた液についても、外側縁部が疎水性のシート材３，６により被覆されているために防漏され、時間経過と共にサイド吸収部４３に吸収される。
サイド吸収部４３の単位吸収容量を、中央吸収部４２の単位吸収容量より大きくすると共に、斯かる構成を採用することにより、サイド吸収部４３の吸収性能を確実且つ効果的に発揮させることが可能となり、製造コストを抑制しつつ、防漏性能及びフィット性を向上させることができる。
ここでいうフィット性とは、サイド吸収部の股下大腿部へのフィット性であり、装着時及び装着中に発生しがちなサイド吸収部と股下大腿部との間の隙間を効果的に防止できる性質をいう。
【００１７】
サイド吸収部４３には、図５に示すように、剛性が相互に異なる領域を該サイド吸収部４３の幅方向と略平行（角度０〜４５゜）に、サイド吸収部の長手方向に交互に形成することにより、サイド吸収部のシャーリング（収縮）を規則的に整え、不規則なシャーリングにより発生することのあるフィット性の低下を防止することが好ましい。剛性の異なる領域の形成方法としては、（１）吸収体が存在しない領域又は吸収体の坪量が小さい領域を形成する、（２）細幅のエンボス線を付与する、（３）スリットを入れる、（４）周辺よりも剛性の低い材料で吸収体を形成する等の方法が挙げられる。
尚、弾性部材７１は、サイド吸収部４３が位置する領域を着用者の大腿部に圧接させ得る限り、裏面シート３の裏側等、該領域の厚み方向における吸収体よりも裏面側の何れの箇所に配されていても良い。本実施形態のように厚み方向における吸収体よりも裏面側に設けると、フィット性に優れ、肌への刺激性が穏やかという点から好ましい。
【００１８】
本実施形態のおむつ１においては、図１に示すように、各サイド吸収部４３には、帯状のポリマー領域Ｐ１，Ｐ１が長手方向に沿って形成されており、背側部Ａにおける吸収体には、矩形状のポリマー領域Ｐ２が形成されている。各ポリマー領域Ｐ１（Ｐ２）は、各々パルプ繊維等の繊維材料からなる、上部繊維層４５と下部繊維層４６との間に吸水性ポリマー４７を配して形成されている。尚、本実施形態においては、各ポリマー領域Ｐ１，Ｐ２以外の部分には、吸水性ポリマーが配されていない。
【００１９】
また、本実施形態においては、各サイド吸収部４３の疎水性のシート材３，６に両面を被覆された部分４３ａの吸水性ポリマーの平均坪量が、該各サイド吸収部４３全体の吸水性ポリマーの平均坪量よりも小さい。これにより、サイド吸収部４３で吸収しきれずに吸収体中を幅方向に流れた液が、疎水性のシート材３，６で被覆された部分内を長手方向に移動して拡散し、液未吸収部分の吸水性ポリマーにより効率良く吸収される。
【００２０】
このような拡散吸収を効率よく発現させる観点から、疎水性のシート材３，６に両面を被覆された部分４３ａにおける吸水性ポリマーの平均坪量は０〜１２０ｇ／ｍ2 、特に０〜６０ｇ／ｍ2 であることが好ましく、部分４３ａの吸水性ポリマーの平均坪量と各サイド吸収部４３の吸水性ポリマーの平均坪量との比（部分４３ａの坪量／サイド吸収部全体の坪量）は０〜０．６、特に０〜０．４であることが好ましく、更に両者の差は２０〜１５０ｇ／ｍ2 、特に３０〜１００ｇ／ｍ2 であることが好ましい。疎水性のシート材３，６に両面を被覆された部分４３ａの吸水性ポリマーの平均坪量は、該部分４３ａに存在するポリマーの重量を該部分４３ａの面積で除して求められる。また、中央吸収部４２内の吸水性ポリマーの重量を該領域の面積で除して得られる中央吸収部４２の吸水性ポリマーの平均坪量は０〜１００ｇ／ｍ2 、特に０〜５０ｇ／ｍ2 であることが好ましい。尚、サイド吸収部４３の好ましい吸水性ポリマーの平均坪量については上述してある。
【００２１】
また、疎水性のシート材３，６に両面を被覆された部分４３ａの幅（シート材６が吸収体４と重なる幅と同じ）は５〜３０ｍｍ、特に５〜１５ｍｍであることが好ましい。この幅を５ｍｍ以上とすることで、吸収体側縁からの漏れ出しを確実に防止することができ、３０ｍｍ以下とすることで、吸収体の親水部の幅が過度に狭まることが防止でき、表面を流れる液流に対して確実に防漏効果を発現させることができる。本実施形態のおむつにおける吸収体は、その長手方向の全域に亘って両側縁部が同じ幅で被覆されている。また、疎水性（液不透過性）のシート材としての、裏面シート３及び他のシート材６は、吸収体４の側縁より外方に延出する部分において互いに液密に接合されている。
【００２２】
中央吸収部４２の厚みは、各サイド吸収部４３の厚みの２／３以下であることが好ましい。中央吸収部４２の厚みが各サイド吸収部４３の厚みの２／３以下であると、おむつ中央部に凹状のポケット部が形成され、補助吸収具の保持性・ズレ防止性が向上する。また、中央吸収部４２と各サイド吸収部４３，４３の密度が同等の場合には、中央吸収部の厚みを小さくすることで通気性を向上させることができ、特に裏面シート３が透湿性である場合に、中央吸収部４２とサイド吸収部４３とが同じ厚みの場合に比べて大幅にムレ、カブレを改善することができる。
補助吸収具の保持性・ズレ防止性の観点から、中央吸収部４２の厚みは、各サイド吸収部４３，４３の厚みの１／２以下であることが好ましく、特に厚みが０であることが好ましい。
【００２３】
尚、中央吸収部４２の厚み及び各サイド吸収部４３，４３の厚みは、以下のようにして測定される。
未使用の使い捨ておむつ（製品）より吸収体４を取り出し、該吸収体４の中央吸収部４２及び両サイド吸収部４３のそれぞれについて、それぞれ任意の３点（好ましくは、股下部で長手方向に連続する各々５×５ｃｍの正方形状の３領域）における厚みを２０ｇ／ｃｍ2 の荷重下において測定する。そして、３点の平均厚みを各部の厚みとする。尚、吸収体が存在しない場合は、厚みは０とする。
【００２４】
吸収体４は、股下部Ｃ内の幅方向の中央部（例えば中央吸収部４２）が額縁状にくり抜かれていることが、おむつの保形性の観点から好ましい。くり抜いた部分の周囲がフレームとなるためである。
この場合、くり抜かれた部分においては、表面シート２と裏面シート３とが直接又は間接的に接合されていることが好ましい。表裏面シートを接合させることで、おむつ内表面に確実に凹状のポケット領域を形成させることができ、補助吸収具の保持性・ズレ防止性が一層向上する。
また、吸収体４は、股下部Ｃ内の幅方向の中央部（例えば中央吸収部４２）が、その周囲よりも薄くなされていることが、補助吸収具の前後のズレを防止する観点から好ましい。尚、中央吸収部４２は、吸収体の一部を完全にくり抜いた部分であっても良い。
【００２５】
本実施形態の使い捨ておむつの両中間領域４４には、それぞれ長手方向に沿って低剛性領域４８が形成されている。低剛性領域は、中間領域が幅方向に折れ曲がるのを助長するものであり、斯かる低剛性領域を設けることにより、吸収体４をかなり幅広に設計した場合であってもサイド吸収部４が位置する領域を、着用者の大腿部に確実に圧接させることができ、吸収性能の低下を誘発する、装着ミスやおむつの変形を防止することができる。
低剛性領域としては、中間領域を折れ曲がり易くできるものであればその構成や形成方法に制限はなく、例えば、(1) 長手方向に沿って、吸収体が存在しない領域又は坪量が小さい領域を形成させる、(2) 細幅のエンボス線を付与する、(3) スリットを入れる、(4) 周辺よりも剛性の低い材料で形成する等が挙げられる。
【００２６】
更に、本実施形態の使い捨ておむつにおいては、股下部Ｃにおける吸収体４の両側縁近傍に、おむつ内表面側から視覚的に判別可能な目安材４９が配設されている。本実施形態においては、吸収体４の外表面を形成する着色紙（黄緑色）の両側部が、外表面側に巻き上げられて該吸収体４の内表面側に位置しており、該部分が目安材４９となっている。
吸収体４の両側縁近傍に目安材４９を配設することにより、中央部との違いが明確になり、補助吸収具の適正な装着位置が容易に判別可能となるため、装着ミスを防止することができ、本発明の効果を一層確実且つ効率的に発現させることができる。
目安材としては、中央部に配される材（例えば、表面シート２、吸収体４の内表面を形成する液透過性の紙や不織布５０等）とは、(1) 色が異なる材（例えば非白色の着色紙や不織布）、(2) 模様が異なる材、(3) 厚みが異なる材等を用いることができる。
尚、図２，３に示す補助吸収具１０は、液透過性の表面シート１１、液不透過性の裏面シート１２及びこれら両シート間に介在された液保持性の吸収体１３を具備し、長手方向の両側部に立体ギャザー１４が形成されており、その長手方向を、使い捨ておむつ１の長手方向に一致させるように配置して使用する。
【００２７】
本実施形態の使い捨ておむつ１の各部の形成材料について説明すると、表面シート２、裏面シート３、ファスニングテープ５、ランディングゾーン５１の形成材料としては、それぞれ、従来、使い捨ておむつに用いられている各種のものを特に制限なく用いることができる。
【００２８】
吸収体４としては、使い捨ておむつ等における吸収体に従来用いられているものを特に制限なく用いることができ、例えば、パルプ繊維、レーヨン、セルロース、ポリエチレン、ポリプロピレン等の繊維の集合体、これらの繊維集合体の全体又は一部に吸水性ポリマーを保持させたもの等を用いることができる。吸水性ポリマーとしては、使い捨ておむつ等における吸収体に従来用いられているものを特に制限なく用いることができるが、自重の２０倍以上の液体を吸収・保持でき且つゲル化し得るものが好ましく、例えば、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。
【００２９】
弾性部材７１（又は７２）の形成素材としては、天然ゴム、合成ゴム、スパンデックス等を挙げることができ、それぞれの形態としては糸状、帯状、フィルム状等を挙げることができる。弾性部材７１は、脚廻りの収縮性、加工性、コスト等の観点から、糸ゴム又は平ゴムが好ましい。また、疎水性のシート材として使用する裏面シート３及びシート材６としては、例えば、従来裏面シートの形成材料として用いられている各種のシート材等を用いることができる。
【００３０】
本発明は、上述した実施形態に制限されず、本発明の趣旨を逸脱しない範囲内において適宜変更可能である。
例えば、中央吸収部４２とサイド吸収部４３，４３との上述した関係（単位吸収容量の関係等）は、股下部Ｃにおいてのみ成立しても良いが、吸収体４の長手方向の全域に亘って成立していても良い。
また、サイド吸収部４３の外側縁部は、上記実施形態のように二枚の疎水性のシート材（裏面シート３及び他のシート６）により被覆されていても良いし、一枚の疎水性のシート材により被覆されていても良い。
【００３１】
【発明の効果】
本発明によれば、製造コストを抑制でき、しかも漏れ防止性及びフィット性に優れた使い捨ておむつを提供することができる。
【図面の簡単な説明】
【図１】図１は、本発明の使い捨ておむつの一実施形態を示す平面図である。
【図２】図２は、図１のＸ−Ｘ断面を模式的に示す断面図である。
【図３】図３は、図１の使い捨ておむつの内表面上に補助吸収具を載置する様子を示す斜視図である。
【図４】図４は、本発明の他の一実施形態における股下部を示す平面図である。
【図５】図５は、本発明の好ましい実施形態における、サイド吸収部が位置する領域の厚み方向の断面を示す要部断面図である。
【符号の説明】
１    使い捨ておむつ
２    表面シート
３    裏面シート
４    吸収体
４２    中央吸収部
４３    サイド吸収部
４４    中間領域（中央吸収部とサイド吸収部との間の領域）
４５    上部繊維層
４６    下部繊維層
４７    吸水性ポリマー
４８    低剛性領域
４９    目安材
５    ファスニングテープ（止着手段）
６    疎水性のシート材
７１，７２  弾性部材
１０  補助吸収具
【図１】
0004502557.tif 000002
【図２】
0004502557.tif 000003
【図３】
0004502557.tif 000004
【図４】
0004502557.tif 000005
【図５】
0004502557.tif 000006